(57)【要約】【課題】１つの板金部品に天井取付時の補強、壁面取付時の補強機能を持たせることができ、さらに、板金部品は電気部品を取り付けることで固定される表示装置を提供する。【解決手段】前面１１側に本体開口部１ｉが形成され、本体開口部１ｉと向かい合う後面１２を備えた本体１と、本体１に形成された本体開口部１ｉを塞いで本体１に取り付けられる表示部３と、表示部３に光を入射する光源部４と、表面の少なくとも一部が後面１２と対向して本体１の内部に配置される点灯制御部５と、本体１を補強し、本体１の後面１２と接して内部に配置される補強金具２とを備え、補強金具２は、点灯制御部５と本体１の後面１２とに挟まれた状態で点灯制御部５が本体１に取り付けられることにより、本体１に固定される。【選択図】図１
2014107183.tif 000002
【特許請求の範囲】
【請求項１】
前面側に開口部が形成され、前記開口部と向かい合う後面を備えた器具本体と、
前記器具本体に形成された前記開口部を塞いで前記器具本体に取り付けられる表示部と、
前記表示部に光を入射する光源部と、
表面の少なくとも一部が前記器具本体の前記後面と対向して前記器具本体の内部に配置される第１電気部品と、
前記器具本体を補強する補強板であって、前記器具本体の前記後面と接して前記器具本体の内部に配置される補強板と
を備え、
前記補強板は、
前記第１電気部品の表面と前記器具本体の前記後面とに挟まれた状態で前記第１電気部品が前記器具本体に取り付けられることにより、前記器具本体に固定される
ことを特徴とする表示装置。
【請求項２】
前記第１電気部品は、前記光源部を点灯させる部品であることを特徴とする請求項１に記載の表示装置。
【請求項３】
表面の一部が前記器具本体の前記後面と対向して前記器具本体の内部に配置される第２電気部品を備え、
前記補強板は、
前記第１電気部品の表面と前記器具本体の前記後面とに挟まれるとともに前記第２電気部品の表面と前記器具本体の前記後面とに挟まれた状態で、前記第１電気部品と前記第２電気部品とが前記器具本体に取り付けられることにより、前記器具本体に固定される
ことを特徴とする請求項１または２に記載の表示装置。
【請求項４】
前記第２電気部品は、前記光源部を点灯させる部品であることを特徴とする請求項３に記載の表示装置。
【請求項５】
前記第１電気部品と前記第２電気部品とは、
前記器具本体の略中央に対して、互いに略点対称となる位置に配置される
ことを特徴とする請求項３または４に記載の表示装置。
【請求項６】
前記第１電気部品と前記第２電気部品とのうちの一方は、前記光源部の点灯を制御する点灯制御部であり、
前記第１電気部品と前記第２電気部品とのうちの他方は、前記点灯制御部に電力を供給する電源端子台である
ことを特徴とする請求項３〜５のいずれかに記載の表示装置。
【請求項７】
前記器具本体は、
前記前面と前記後面との間に側面を備え、
前記補強板は、
周縁から前記器具本体の前記側面に沿うように折り曲げられた折り曲げ部を備える
ことを特徴とする請求項１〜６のいずれかに記載の表示装置。
【請求項８】
前記器具本体は、
前記後面と前記側面との少なくともいずれかに、電線を挿入する本体側電線挿入孔が形成され、
前記補強板は、前記本体側電線挿入孔に対応する位置に前記電線挿入孔よりも大きい補強板側電線挿入孔が形成される
ことを特徴とする請求項７に記載の表示装置。
【発明の詳細な説明】
【技術分野】
【０００１】
本発明は、天井面や壁面などの施工面に取り付けられる表示装置に関するものであり、特に、誘導灯に関するものである。
【背景技術】
【０００２】
表示装置や誘導灯は、表示面を点灯させるために、器具の本体の内部に点灯装置や電源端子台などの電気部品を有している。
【０００３】
また、誘導灯は取り付け方法により機種の種類があり、例えば、壁・天井直付用、天井埋込用、壁埋込用の機種などがある。壁・天井直付形については表示面とほぼ同じ大きさの本体を有しており、その内部に電気部品が配置される。
【先行技術文献】
【特許文献】
【０００４】
【特許文献１】特許第３８８８０４１号公報
【発明の概要】
【発明が解決しようとする課題】
【０００５】
特許文献１では、電源端子台を取り付ける金具が、本体の壁面取付用の被取付部の補強を兼ねている。さらに、本体には、点灯装置と接する部位及び天井取付用の被取付部にも補強のための板金部品が使用されている。そのため、本体には、板金部品が何部品も存在し、さらにそれに対応する取付部を複数有することになる。また、部品点数に応じた組み付け工程が必要となる。
【０００６】
本発明は、本体の補強などの機能を保持しつつ、部品数を削減すること、及び、器具組立性を向上させることを目的とする。
【課題を解決するための手段】
【０００７】
本発明に係る表示装置は、前面側に開口部が形成され、前記開口部と向かい合う後面を備えた器具本体と、前記器具本体に形成された前記開口部を塞いで前記器具本体に取り付けられる表示部と、前記表示部に光を入射する光源部と、表面の少なくとも一部が前記器具本体の前記後面と対向して前記器具本体の内部に配置される第１電気部品と、前記器具本体を補強する補強板であって、前記器具本体の前記後面と接して前記器具本体の内部に配置される補強板とを備え、前記補強板は、前記第１電気部品の表面と前記器具本体の前記後面とに挟まれた状態で前記第１電気部品が前記器具本体に取り付けられることにより、前記器具本体に固定されることを特徴とする。
【発明の効果】
【０００８】
本発明に係る表示装置によれば、１つの補強板に器具本体の補強機能を持たせることができるので部品点数を削減することができ、また、第１電気部品を取り付けることで器具本体に固定することができるので、組立性を向上させることができる。
【図面の簡単な説明】
【０００９】
【図１】実施の形態１に係る表示装置１００を示す分解斜視図である。
【図２】実施の形態１に係る表示装置１００を示す電気部品を取り付けた状態の本体１の内部の斜視図である。
【図３】実施の形態１に係る表示装置１００を示す斜視図である。
【図４】実施の形態１に係る本体１を示す図であり、（ａ）は本体１の正面図、（ｂ）は本体１に補強金具２を配置した状態の正面図である。
【図５】実施の形態１に係る点灯制御部５の取付部分の断面図（上面図）である。
【図６】実施の形態１に係る電源端子台６の取付部分の詳細図である。
【図７】実施の形態２に係る表示装置１０１を示す斜視図である。
【図８】実施の形態２に係る表示装置１０１を示す電気部品を取り付けた状態の本体１の内部の斜視図である。
【図９】実施の形態３に係る表示装置１０２を示す斜視図である。
【図１０】実施の形態３に係る表示装置１０２を示す電気部品を取り付けた状態の本体１の内部の斜視図である。
【図１１】実施の形態３に係る表示装置１０２を示す断面図（上面図）である。
【発明を実施するための形態】
【００１０】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る表示装置１００を示す分解斜視図である。図２は、本実施の形態に係る表示装置１００を示す電気部品を取り付けた状態の本体１の内部の斜視図である。図３は、本実施の形態に係る表示装置１００を示す斜視図である。図４は、本実施の形態に係る本体１を示す図であり、（ａ）は本体１の正面図、（ｂ）は本体１に補強金具２を配置した状態の正面図である。図５は、本実施の形態に係る点灯制御部５の取付部分の断面図（上面図）である。図６は、本実施の形態に係る電源端子台６の取付部分の詳細図である。
【００１２】
図１〜図６を用いて、本実施の形態に係る表示装置１００の全体構造について説明する。
表示装置１００は、例えば、避難誘導表示、避難口表示などの図柄を表示する誘導灯である。誘導灯に限られず、その他の情報（例えば、地図情報、広告宣伝等）を表示するものでもよい。
本実施の形態に係る表示装置１００は、例えば、天井、壁面に直付けされる機種である。
【００１３】
図１に示すように、表示装置１００は、本体１（器具本体）、補強金具２（補強板）、表示部３、光源部４、点灯制御部５（点灯装置）、電源端子台６、バッテリ７を備える。
【００１４】
本体１は、前面１１、後面１２、前面１１と後面１２との間の１対の側面１３、上面１４、底面１５を備える略直方体形状である。本体１は、前面１１側に本体開口部１ｉが形成され、本体開口部１ｉと後面１２とは向かい合う。
【００１５】
図１及び図３に示すように、本体１の上面１４には、本体１を天井に取り付けるための被取付部（天井用）１ａ、天井から電源線を通すための電源線挿通孔（天井用）１ｂが形成されている。
また、図１及び図４に示すように、本体１の後面１２には、本体１を壁面に取り付けるための被取付部（壁面用）１ｃ、天井から電源線を通すための電源線挿通孔（壁面用）１ｄが形成されている。
また、本体１は、後面１２と側面１３との境界部分、後面１２と上面１４との境界部分、後面１２と底面１５との境界部分に、補強金具２を配置する際の位置決めに用いる位置決め突起１ｍを備える。
【００１６】
本体１が被取付部（天井用）１ａ、電源線挿通孔（天井用）１ｂ、被取付部（壁面用）１ｃ、及び電源線挿通孔（壁面用）１ｄを有しているため、表示装置１００は天井面にも壁面にも取り付け可能である。また、表示装置１００は、天井面に取り付けられた場合、あるいは壁面に取り付けられた場合であっても、電源線を本体１の内部へ通すことができ、商用電源からの電力の供給が可能となる。
【００１７】
図４に示すように、本体１は、点灯制御部５を取り付けるための爪１ｅ、押さえ１ｆを内部に備える。また、本体１は、電源端子台６を取り付けるための挿入部１ｇ、突起１ｈを内部に備える。また、本体１は、バッテリ７を保持する（取り付ける）保持部１ｊを備える。これらの各取付部により、点灯制御部５、電源端子台６、バッテリ７などの電気部品が本体１へ固定、保持される。電気部品の本体１への固定・保持方法については後述する。
【００１８】
補強金具２は、本体１を補強する補強板の一例であり、本体１の後面１２と接して本体１の内部に配置される。補強金具２は、点灯制御部５、電源端子台６、バッテリ７などの電気部品の表面と本体１の後面１２とに挟まれた状態で電気部品が本体１に取り付けられることにより、本体１に固定される。
【００１９】
ここでは、電気部品（第１電気部品、第２電気部品）は、例えば、点灯制御部５、電源端子台６、バッテリ７などの光源部４を点灯させるための部品である。あるいは、本体１の内部に配置される部品であれば、その他の部品でも構わない。
【００２０】
補強金具２は、図１に示すように、本体１の後面１２に当接して配置される本体後面当接面２１と、本体の側面１３、上面１４、及び底面１５に当接するように配置される本体側面当接面２２とを備える。本体の側面１３、上面１４、及び底面１５を単に側面ともいう場合がある。
【００２１】
本体１は、前面１１と後面１２との間に側面（側面１３、上面１４、底面１５）を備え、補強金具２は、周縁から本体１の側面（側面１３、上面１４、底面１５）に沿うように折り曲げられた本体側面当接面２２（折り曲げ部）を備える。
補強金具２は、図１に示すように、周囲の４辺が曲げられており、本体１へ配置され、本体１の補強として機能する。
【００２２】
図１に示すように、補強金具２は、本体１の上面１４に対応する本体側面当接面２２に、被取付部（天井用）１ａ、電源線挿通孔（天井用）１ｂに対応して被取付部用孔（天井用）２ａ、挿通孔用孔（天井用）２ｂが形成されている。
また、補強金具２は、本体１の後面１２に対応する本体後面当接面２１に、被取付部（壁面用）１ｃ、電源線挿通孔（壁面用）１ｄに対応して、被取付部用孔（壁面用）２ｃ、挿通孔用孔（壁面用）２ｄが形成されている。
【００２３】
このように、補強金具２は、本体１の被取付部（天井用）１ａ、電源線挿通孔（天井用）１ｂ、被取付部（壁面用）１ｃ、電源線挿通孔（壁面用）１ｄに対応する形状の孔を有している。挿通孔用孔（天井用）２ｂは、電源線挿通孔（天井用）１ｂよりも大きく開口して形成されることが好ましい。また、挿通孔用孔（壁面用）２ｄは、電源線挿通孔（壁面用）１ｄよりも大きく開口して形成されることが好ましい。
これにより、電源線を電源線挿通孔（天井用）１ｂあるいは電源線挿通孔（壁面用）１ｄから挿入する際に、電源線が補強金具２の挿通孔用孔（天井用）２ｂあるいは挿通孔用孔（壁面用）２ｄのエッジ、バリ等に触れることがないため、電源線を傷つけ、短絡させることはない。
【００２４】
図１に示すように、補強金具２は、本体１の爪１ｅに対応する位置に孔２ｅ、本体１の押さえ１ｆに対応する位置に孔２ｆ、本体１の挿入部１ｇに対応する位置に切り欠き２ｇを備える。補強金具２の本体側面当接面２２の先端部と本体１の突起１ｈとが干渉しないように、突起１ｈ部分に対応する本体側面当接面２２の高さを設計することが好ましい。
【００２５】
このように、補強金具２では、点灯制御部５を取り付けるための爪１ｅ、押さえ１ｆ、電源端子台６を取り付けるための挿入部１ｇ、突起１ｈ等に対応する位置に、切り欠きを設けたり、開口を設けたりすることで本体１と干渉しないような形状としている。
また、補強金具２は、本体１の位置決め突起１ｍに対応する位置に位置決め用孔２ｍを備える。これにより、補強金具２が本体１に配置される際の位置決めが容易となり、作業性が向上する。
【００２６】
表示部３は、所定の情報を表示する。所定の情報とは、例えば、避難誘導を示す図柄等である。所定の情報は、避難誘導を示す図柄に限られず、案内情報、警告情報等いかなる情報であっても構わない。表示部３は、図１、図３に示すように、本体１が形成した開口部分（本体開口部１ｉ）を塞ぐように（開口部分に蓋をするように）表示部３が本体１に取り付けられる。
【００２７】
光源部４は、表示部３に光を入射する。光源部４は、光源となるランプを保持する。光源部４は、光源として、例えば、ＬＥＤ（発光ダイオード）、蛍光灯等を備える。
光源部４のランプの光が表示部３へ入射するように、光源部４は本体１と共に表示部３に取り付けられる。つまり、表示部３は、光源部４に保持されたランプの光によって照らされる。そのため、表示部３が表示した情報は、暗い場所であっても識別可能となる。図３では、光源部４は、本体１の外側に取り付けられているが、本体１の内側に取り付けられても構わない。
【００２８】
点灯制御部５、電源端子台６、バッテリ７等の電気部品は、表面の少なくとも一部が本体１の後面１２と対向して本体１の内部に配置される。
点灯制御部５（第１電気部品）と電源端子台６（第２電気部品）とは、本体１の略中央に対して、互いに略点対称となる位置に配置される。
【００２９】
電気部品を本体１に固定する場合は、まず、補強金具２を本体１の内側に位置決めして配置し、その後、点灯制御部５、電源端子台６、バッテリ７等の電気部品を本体１に取り付ける。
このような順番で取り付けることにより、補強金具２が電気部品において後面１２と向かい合う面（表面）と本体１の後面１２とに挟まれた状態で、電気部品が本体１に取り付けられる（固定される）ので、補強金具２が本体１に固定される。
【００３０】
図２に示すように、前面１１側から後面１２側を見た場合に、点灯制御部５は後面１２の右側の側面１３の近傍に配置され、電源端子台６は後面１２の左側の側面１３に接して配置される。つまり、点灯制御部５と電源端子台６とは、本体１の後面１２において左右に離れて配置されている。
【００３１】
あるいは、点灯制御部５は後面１２の右下に配置されているので、電源端子台６は後面１２の左上に配置してもよい。つまり、点灯制御部５と電源端子台６とは、本体１の後面１２において、斜めに離れて配置されてもよい。
【００３２】
あるいは、点灯制御部５は後面１２において下側の底面１５の近傍に配置され、電源端子台６は後面１２において上側の上面１４の近傍に配置されてもよい。つまり、点灯制御部５と電源端子台６とは、本体１の後面１２において上下に離れて配置されてもよい。
点灯制御部５と電源端子台６とは、上述したように、左右、上下、斜め等に離して後面１２に配置されていることが好ましい。
【００３３】
また、本体１の略中央に対して、互いに略点対称となる位置に配置される部品は、点灯制御部５と電源端子台６とに限られず、その他の電気部品でもよい。
あるいは、本体１の略中央に対して、互いに略点対称となる位置に配置される部品は、電気部品以外の部品でも構わない。
【００３４】
点灯制御部５は、光源部４が保持するランプの点灯を制御する。点灯制御部５は、通常時には商用電源からの電力によりランプを点灯させ、商用電源から電力が供給されない非常時には非常時電源からの電力によりランプを点灯させる。
【００３５】
点灯制御部５は、本体１と点灯制御部５の間に補強金具２を挟み込む形で本体１の爪１ｅ、押さえ１ｆにより取り付けられる。そのため、点灯制御部５が取り付けられると共に補強金具が本体１へ固定され、組立性が向上する。
【００３６】
図５は、図２に示すＡ−Ａ断面を上面１４側から底面１５方向に見た図である。図５に示すように、点灯制御部５は、前面１１側から後面１２方向に見た場合に、右側となる右側面１３ａ近傍に配置される。
図５に示すように、点灯制御部５の筐体は、点灯制御部前面５ｄ、点灯制御部側面５ａ、点灯制御部後面５ｃ（図５参照）を備えている。点灯制御部側面５ａには、補強金具２の孔２ｅを貫通した爪１ｅと係合する係合孔５ｂが形成されている。
【００３７】
点灯制御部後面５ｃは、本体１の後面１２と向かい合う電気部品の表面の一例である。図５に示すように、点灯制御部後面５ｃは開口している。ただし、点灯制御部後面５ｃは開口していなくてもよい。図５において点線で示すように、点灯制御部後面５ｃは面を有していてもよい。
図５に示すように、点灯制御部５が本体１に固定されることにより、補強金具２が本体１と点灯制御部５とに挟まれて固定される。
【００３８】
電源端子台６は電源線に接続されることにより商用電源より電力を受け取り、その電力を点灯制御部５へ供給する。
【００３９】
図６に示すように、電源端子台６は、電源線差込口６ａ、電源線差込口６ａが形成されている電源線差込面６ｂ、電源線差込面６ｂに対向する電源線差込面裏面６ｃ、本体１の後面１２と向かい合う端子台側面６ｄ、端子台側面６ｄの反対側の側面である端子台側面６ｅを備える。また、電源端子台６の上面と下面とには、本体１が備える上下の一対の挿入部１ｇに対応する位置に、一対の挿入突起６ｆを備える。
【００４０】
電源端子台６は、前面１１側から後面１２方向に見た場合に、左側となる左側面１３ｂと電源線差込面裏面６ｃとの間に、補強金具２の本体側面当接面２２を挟み込む形で挿入部１ｇに挿入される。
電源端子台６は、一対の挿入突起６ｆを一対の挿入部１ｇに挿入し、端子台側面６ｄを補強金具２の本体後面当接面２１に当接させ、本体１の突起１ｈを端子台側面６ｅに引っ掛けることで、本体１に固定される。これにより、本体１の後面１２と端子台側面６ｄとの間に、補強金具２の本体後面当接面２１が挟まれる。
突起１ｈにより、電源端子台６は、本体１から外れないように、本体１に取り付られる。電源端子台６が本体１に固定されることにより、補強金具２が本体１に固定される。
【００４１】
点灯制御部５と電源端子台６との取り付けを組み合わせることで、確実に補強金具２が本体１へ固定される。上述したように、本体１の中心より左側に電源端子台６、右側に点灯制御部５という様に、本体１の後面１２の中心に対し対称の場所へ配置されることにより補強金具２の固定がより堅固に安定する。上下の配置、斜めの配置でも同様の効果を得ることができる。
【００４２】
バッテリ７は、非常時電源である。バッテリ７は、点灯制御部５により制御され、非常時にランプを点灯させる電力を供給する。機種の種類によっては本体１にバッテリを有さず、建物に非常時電源を供えて、非常時に電力を供給するものもある。
点検スイッチ部１ｋは、例えば、電力の供給を商用電源からバッテリ７に切り替え、正常に動作するかを確認するための装置である。
【００４３】
本体１においてバッテリ取り付け部分には補強金具２を必要としない。このため、補強金具２は、バッテリ７の取り付け部分に金具開口部２ｈが形成されている（図１、図２参照）。
このように、補強が不要な部分に開口を設けることで、補強金具２の部材量を減らすことができ、部品コストを低減させることができる。
【００４４】
以上のように、本実施の形態に係る表示装置１００は、電気部品を取り付けるための電気部品取付部を有し、少なくとも前面開口した直方体状の本体と、上記本体を補強するための補強金具と、発光面を有する表示部と、表示部へ光を入射する光源部とを備える。さらに、本体の電気部品取付部へ取り付けられ、通常時には商用電源からの電力により上記光源を点灯させ、上記商用電源から電力が供給されない時には非常時電源からの電力により上記光源を点灯させる点灯制御部と、商用電源からの電力が点灯制御部へ送られる際に経由する電源端子台とを有し、補強金具は点灯制御部を取り付けることにより固定される。また、上記補強金具は上記電源端子台が取り付けられることによっても固定される。
【００４５】
以上のように、本実施の形態に係る表示装置１００によれば、１部品である補強金具２に、天井取付時の本体１の補強、壁面取付時の本体１の補強、電気部品取り付け時の本体１の補強の機能を持たせることができ、部品点数を削減することができる。
【００４６】
また、本実施の形態に係る表示装置１００によれば、補強金具２（板金部品）は点灯制御部５や電源端子台６等の電気部品を本体１に取り付けることで固定されるため、組立性を向上させることができる。
【００４７】
また、本実施の形態に係る表示装置１００によれば、補強金具２（板金部品）は、点灯制御部５や電源端子台６等のように、後面１２の中心に対して、上下、左右、斜めに離れた少なくとも２つの電気部品により固定されるため、直接的に補強金具２を本体１に固定していなくても強固かつ安定的に本体１に固定することができる。
【００４８】
また、本実施の形態に係る表示装置１００によれば、補強金具２の本体後面当接面２１は、表示装置１００が壁面等に取り付けられた場合の壁面取付部分の補強となる。また、補強金具２の本体側面当接面２２は、表示装置１００が天井面等に取り付けられた場合の天井面取付部分の補強となる。
【００４９】
補強金具２は、本体後面当接面２１と本体側面当接面２２とを備える１部品であることにより、本体１のそり、ゆがみ、膨張、縮小などの変形の防止・補強機能、本体の側面１３、上面１４、底面１５のたわみやゆがみなどの防止・補強機能、本体１の経年劣化などによる破損や変形の防止・補強機能を有するものとなる。
【００５０】
実施の形態２．
本実施の形態に係る表示装置１０１の構造について、実施の形態１と異なる点を説明する。
図７は、本実施の形態に係る表示装置１０１を示す斜視図である。図８は、本実施の形態に係る表示装置１０１の本体１の内部を示す斜視図である。
図７〜図８を用いて、本実施の形態に係る表示装置１０１の全体構造について、実施の形態１と異なる点について説明する。実施の形態１と同様の構成については同一の符号を付し、その説明を省略する場合がある。
【００５１】
本実施の形態に係る表示装置１０１は、天井面、壁面等に直付けされる機種である。実施の形態１に係る表示装置１００は、本体１の前面１１側の本体開口部１ｉ側のみに表示部３と光源部４が配置されていた。
図７に示すように、本実施の形態に係る表示装置１０１では、本体開口部１ｉの反対側、つまり後面１２側についても表示部３ａと光源部４ａが配置される。
【００５２】
本体１は、前面１１の本体開口部１ｉと逆側にも後面開口部１ｎを有する。つまり、本体１は、後面１２にも後面開口部１ｎを備える。
後面開口部１ｎは、作業用の開口である。後面開口部１ｎを備えることにより、作業者は、本体開口部１ｉと逆側の表示部３ａ、光源部４ａを外した場合でも器具内部を確認することができる。
作業用の後面開口部１ｎは、１つだけでなく、バッテリ７が配置される場所にも空けても構わない。それにより、バッテリ７が点灯制御部５へ接続されているかどうかの確認も可能となる。
【００５３】
補強金具２は、本体１の後面開口部１ｎと対応する場所に、後面開口部１ｎと略同形状の補強金具側開口部２ｎが形成される。補強金具側開口部２ｎは、本体１の後面開口部１ｎよりもやや大きいことが望ましい。そうすることで、後面開口部１ｎの周縁部１ｐから補強金具側開口部２ｎの周縁部２ｐがはみ出すことがない。
【００５４】
以上のように、本実施の形態に係る表示装置１０１の補強金具２によれば、前面と後面との両面に表示部３及び光源部４を備える機種であっても、作業者の指等が補強金具側開口部２ｎの周縁部２ｐである板金のエッジ、バリ等に触れるのを防止することができ、作業時の安全性が高い表示装置１０１を提供することができる。
【００５５】
実施の形態３．
本実施の形態に係る表示装置１０２の構造について、実施の形態１，２と異なる点を説明する。
図９は、本実施の形態に係る表示装置１０２を示す斜視図である。図１０は、本実施の形態に係る表示装置１０２の本体１の内部を示す斜視図である。図１１は、本実施の形態に係る表示装置１０２を示す断面図（上面図）である。
【００５６】
図９〜図１１を用いて、本実施の形態に係る表示装置１０２の全体構造について、実施の形態１，２と異なる点について説明する。実施の形態１，２と同様の構成については同一の符号を付し、その説明を省略する場合がある。
【００５７】
本実施の形態に係る表示装置１０２は、壁面に開けられた取り付け穴に埋め込まれ、表示部３だけが外観となる機種である。表示部３のみの外観となるため、意匠性が高い機種といえる。
【００５８】
図１０に示すように、本体１は、実施の形態１で説明したものに加え、本体後面当接面２１（背面）にネジ８を挿入するネジ挿入穴８ａが追加工されている。
また、表示装置１０２は、実施の形態１に説明したものに対し、埋込用ケース９、化粧枠１０が追加されている。
埋込用ケース９は、本体１の後面１２側の外側を覆うように、ネジ８によりネジ止めされて取り付けられる。
【００５９】
図１１は、表示装置１０２のＢ−Ｂ断面を上面１４側から底面１５方向に見た図である（図９参照）。図１１に示すように、ネジ８は、埋込用ケース９と、本体１と、補強金具２とを共締めする。ネジ頭、補強金具２、本体１、埋込用ケース９の順になるようにネジ８がネジ挿入穴８ａを通り、固定される。
図１０では、ネジ８によりネジ止めされる箇所が１箇所であるが、図１１では、ネジ８によりネジ止めされる箇所が２箇所である場合の表示装置１０２となっている。
【００６０】
化粧枠１０は、枠開口部１０ａ（図９参照）を有し、枠開口部１０ａより表示部３が覗くように埋込用ケース９に取り付けられる。表示装置１０２（本器具）は壁面に埋め込まれる器具であるため、表示装置１０２が埋込穴へ挿入され取り付けられた際には、化粧枠１０を取り付けることにより、埋込穴を隠すことができ、意匠性が向上する。
【００６１】
以上のように、本実施の形態に係る表示装置１０２の補強金具２によれば、埋込用ケース９と本体１と補強金具２とを共締めすることができるので、ネジによる共締め部分の本体１の補強を効果的にすることできる。
【００６２】
上記実施の形態１〜３に示すように、補強金具２を電気部品で押さえることにより、組立性が向上する。また、器具を補強するのはもちろんのこと、電気部品を板金で覆うことになるため、内蔵電子部品故障時の安全性向上にも寄与する。補強金具は上記に説明した点灯制御部５、電源端子台６以外の部品で押さえ、固定しても構わない。
【００６３】
上記実施の形態１〜３では、表示装置として誘導灯について説明したが、例えば、誘導灯以外の情報（例えば、名称表示、広告等の情報）を表示する表示装置であっても適用可能である。また、上記実施の形態について説明したが、上記の実施の形態に限定されるものではなく、必要に応じて種々の変更が可能である。
【００６４】
上記実施の形態１〜３について説明したが、これらの実施の形態の２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６５】
１  本体、１ａ  被取付部（天井用）、１ｂ  電源線挿通孔（天井用）、１ｃ  被取付部（壁面用）、１ｄ  電源線挿通孔（壁面用）、１ｅ  爪、１ｆ  押さえ、１ｇ  挿入部、１ｈ  突起、１ｉ  本体開口部、１ｊ  保持部、１ｋ  点検スイッチ部、１ｍ  位置決め突起、１ｎ  後面開口部、１ｐ  周縁部、２  補強金具、２ａ  被取付部用孔（天井用）、２ｂ  挿通孔用孔（天井用）、２ｃ  被取付部用孔（壁面用）、２ｄ  挿通孔用孔（壁面用）、２ｅ，２ｆ  孔、２ｇ  切り欠き、２ｈ  金具開口部、２ｍ  位置決め用孔、２ｎ  補強金具側開口部、２ｐ  周縁部、３，３ａ  表示部、４，４ａ  光源部、５  点灯制御部、５ａ  点灯制御部側面、５ｂ  係合孔、５ｃ  点灯制御部後面、５ｄ  点灯制御部前面、６  電源端子台、７  バッテリ、８  ネジ、８ａ  ネジ挿入穴、９  埋込用ケース、１０  化粧枠、１０ａ  枠開口部、１１  前面、１２  後面、１３  側面、１３ａ  右側面、１３ｂ  左側面、１４  上面、１５  底面、１６  ネジ、２１  本体後面当接面、２２  本体側面当接面、１００，１０１，１０２  表示装置。
【図１】
2014107183.tif 000003
【図２】
2014107183.tif 000004
【図３】
2014107183.tif 000005
【図４】
2014107183.tif 000006
【図５】
2014107183.tif 000007
【図６】
2014107183.tif 000008
【図７】
2014107183.tif 000009
【図８】
2014107183.tif 000010
【図９】
2014107183.tif 000011
【図１０】
2014107183.tif 000012
【図１１】
2014107183.tif 000013